(57)【要約】【課題】仰臥姿勢や横臥姿勢における使用感に優れると共に枕の高さや感触を使用者の体格や好みに合わせて変更可能な枕を提供すること。【解決手段】枕袋２は、縦方向の仮想中心線ｃを中心として左右対称にほぼ凸円弧形に縫合された円弧部７と、それら円弧部７の外側に縦方向に連続する波形に夫々縫合された波形部９を設け、それら円弧部と二つの横辺とにより囲まれる箇所を中央部６とし、円弧部及び波形部と二つの横辺とにより囲まれる箇所を中間部８とし、波形部及び縦辺と二つの横辺とにより囲まれる箇所を端部１０とし、中央部６の高さを最も低く、中間部８を中央部６とほぼ同じ若しくはやや高く、左右の端部１０を最も高くなるように設け、さらに、それら端部１０の上面に第１パッド２０を挿入する外側ポケット１１を夫々設け、枕カバー２５の裏面側の内面中央部に第２パッド３０を挿入する内側ポケット２９を設けた。【選択図】  図１
2009082638.tif 000002
【特許請求の範囲】
【請求項１】
表生地と裏生地とを袋状に縫い合わせて横長矩形状に形成された枕袋に充填材が収容された枕本体に、枕カバーを被着した枕において、
前記枕袋は、縦方向の仮想中心線を中心として左右対称にほぼ凸円弧形に縫合された円弧部と、それら円弧部の外側に縦方向に連続する波形に夫々縫合された波形部とを設け、それら円弧部と二つの横辺とにより囲まれる箇所を中央部とし、前記円弧部及び波形部と二つの横辺とにより囲まれる箇所を中間部とし、前記波形部及び縦辺と二つの横辺とにより囲まれる箇所を端部とし、それら中央部の高さを最も低く、中間部を中央部とほぼ同じ若しくはやや高く、左右位置の端部を最も高くなるように設け、さらに、それら端部の上面に第１パッドを挿入する外側ポケットを夫々設けられ、前記枕カバーの裏面側の内面中央部に第２パッドを挿入する内側ポケットを設け、その第２パッドが前記枕本体の中央部の裏面にあてがわれるように設けたことを特徴とする枕。
【発明の詳細な説明】
【技術分野】
【０００１】
本発明は、就寝時に用いられる枕に関するものである。
【背景技術】
【０００２】
就寝時に用いられる枕は、古くから様々な形態や素材のものが考案されて使用されてきている。例えば、特許文献１には、枕の幅方向両端部に形成された寝返り対応部と、これら寝返り対応部の間に当該寝返り対応部より高さを低く形成された頚椎支持部と、寝返り対応部の間に頚椎支持部と並んで当該頚椎支持部より高さを低く形成された後頭部支持部と、その頚椎支持部側の長辺部に後頭部支持部に向かって湾曲して形成された円弧部と、寝返り対応部と頚椎支持部、後頭部支持部との間に当該寝返り対応部より高さが低く頚椎支持部より高さの高い寝返り対応移行部を設けた枕が開示されている。
【０００３】
特許文献２に記載された枕は、本件出願人にかかるものであるが、縦方向の仮想中心線を中心として左右対称に凸円弧形に縫合された円弧部と、それら円弧部の外側に縦方向に連続する凹凸形に夫々縫合された凹凸部とを設け、それら円弧部と二つの横辺とにより囲まれる箇所を中央枕部とし、前記円弧部及び凹凸部と二つの横辺とにより囲まれる箇所を中間枕部とし、前記凹凸部及び縦辺と二つの横辺とにより囲まれる箇所を端枕部とし、それら中央枕部、中間枕部及び端枕部に充填部材を夫々収容すると共に、前記中央枕部の高さを最も低く、中間枕部を該中央枕部とほぼ同じ若しくはやや高く、端枕部を最も高く設けるように構成されている。
【０００４】
前者の特許文献１に記載された枕は、頚椎支持部、後頭部支持部と寝返り対応部の間に寝返り対応移行部を設けることにより寝返りを円滑にすることができるとされている。しかし、枕の各部分は糸により直線的にミシン目状に縫合することにより区画されているために当該縫合部分が窪むことを避けられなく、寝返りの際に顔部が窪んだ箇所に載った際に必ずしも違和感がないとは言えない。
【０００５】
また、後者の特許文献２に記載された枕は、表生地と裏生地とを直接縫い付けて区画される各枕部の縫合部分を凸円弧形と波形に形成することにより各枕部同士の境界部分がなだらかになるため、仰臥姿勢や横臥姿勢における使用感に優れるが、完成した製品の枕の高さや感触を使用者の体格に合わせて変えることは難しかった。
【特許文献１】登録実用新案第３０４８８７６号公報
【特許文献２】登録実用新案第３１１２８６５号公報
【発明の開示】
【発明が解決しようとする課題】
【０００６】
本発明の目的は、仰臥姿勢や横臥姿勢における使用感に優れると共に枕の高さや感触を使用者の体格や好みに合わせて変更可能な枕を提供することにある。
【課題を解決するための手段】
【０００７】
前記目的を達成するために請求項１に記載した発明は、表生地と裏生地とを袋状に縫い合わせて横長矩形状に形成された枕袋に充填材が収容された枕本体に、枕カバーを被着した枕において、
前記枕袋は、縦方向の仮想中心線を中心として左右対称にほぼ凸円弧形に縫合された円弧部と、それら円弧部の外側に縦方向に連続する波形に夫々縫合された波形部とを設け、それら円弧部と二つの横辺とにより囲まれる箇所を中央部とし、前記円弧部及び波形部と二つの横辺とにより囲まれる箇所を中間部とし、前記波形部及び縦辺と二つの横辺とにより囲まれる箇所を端部とし、それら中央部の高さを最も低く、中間部を中央部とほぼ同じ若しくはやや高く、左右位置の端部を最も高くなるように設け、さらに、それら端部の上面に第１パッドを挿入する外側ポケットを夫々設けられ、前記枕カバーの裏面側の内面中央部に第２パッドを挿入する内側ポケットを設け、その第２パッドが前記枕本体の中央部の裏面にあてがわれるように設けたことを特徴とする。
【発明の効果】
【０００８】
この枕は、枕本体の縫合部分を凸円弧形と波形に形成することにより各部分同士の境界付近がなだらかになるため、仰臥姿勢や横臥姿勢における使用感が良好である。加えて、枕の高さや感触を第１パッドや第２パッドにより使用者の体格や好みに合わせて変更することができる利便性がある。
【発明を実施するための最良の形態】
【０００９】
以下に、本発明の最良の形態例を図面に基づいて説明する。図１は枕カバーの一部を破断して示す枕の斜視図、図２は枕本体の平面図、図３は図２のＡ−Ａ線断面図、図４は第１パッドの斜視図、図５は第２パッドの斜視図、図６は枕カバーを開けて第２パッドを見せた状態の説明図、図７は枕カバーの裏面図である。
【００１０】
図１に示すように、本発明の枕Ｐは、枕本体１と枕カバー２５とから構成される。図２において、枕本体１は、表生地３と裏生地４とを縫い合わせて形成される横長矩形状の枕袋２に充填材を収容してなる。枕袋２は、縦方向の仮想中心線ｃを中心として左右対称にほぼ凸円弧形に縫合された円弧部７，７と、それら円弧部７，７の外側に縦方向に連続する波形に夫々縫合された波形部９，９とを設け、それら円弧部７，７と二つの横辺２ａ，２ａとにより囲まれる箇所を中央部６とし、円弧部７，７及び波形部９，９と二つの横辺２ａ，２ａとにより囲まれる箇所を中間部８，８とし、波形部９，９及び縦辺２ｂ，２ｂと二つの横辺２ａ，２ａとにより囲まれる箇所を端部１０，１０としている。
【００１１】
上記中央部６には、充填部材としての綿１５若しくはチップ状ウレタンフォームを収容している。また、中間部８，８及び端部１０，１０には、柔軟性を有するプラスチックパイプ（例えば、直径３ｍｍ、長さ８ｍｍ）１６を収容している。そして、枕本体１の高さについては、図３に示すように、中央部６の高さを最も低く、中間部８，８を中央部６とほぼ同じ若しくはやや高く、端部１０，１０を最も高くなるように設ける。
【００１２】
また、枕袋２の左右に位置する端部１０，１０の上面には、第１パッド２０を挿入する開口部１１ａが形成された長方形の外側ポケット１１を夫々設けている。図４に示すように、第１パッド２０は、長方形に縫製された袋体２１に柔らかい素材の羽毛等が使用者の体格や好みに合わせて適宜量詰め込まれている。
【００１３】
枕カバー２５は、前記枕本体１の大きさに対応して表生地２６と裏生地２７とを縫い合わせて横長矩形状に形成され、その裏生地２７にファスナー２８を設けると共に当該裏生地２７の内面中央部に第２パッド３０を挿入する開口部２９ａが形成された内側ポケット２９を設けている。図５に示すように、第２パッド３０は、ほぼ正方形に縫製された袋体３１に蕎麦殻等が使用者の体格や好みに合わせて適宜量詰め込まれている。
【００１４】
しかして、枕本体１に枕カバー２５を被着することにより本発明の枕Ｐが構成される。なお、枕カバー２５に収められた第２パッド３０は、枕本体１の中央部６の裏面にあてがわれるように設けられている。
【００１５】
また、この実施形態例では、中央部６と、他の中間部８，８及び端部１０，１０に収容する充填部材を異なる充填部材としているが、これを全て同じ充填部材とすることもできる。また、充填部材としては、前記以外の蕎麦殻、羽毛、プラスチック製粒状物の中の何れか、若しくはそれらの中から適宜選択して組み合わせたものとすることができる。さらに、枕本体１の完成後においても、使用者の体格や好みに合わせて第１パッド２０に詰め込む羽毛、第２パッド３０に詰め込む蕎麦殻等の量を適宜調節することも可能である。
【００１６】
以上に述べた通り、この枕は、仰臥姿勢や横臥姿勢における使用感が良好であり、枕の高さや感触を第１パッドや第２パッドにより使用者の体格や好みに合わせて変更することができる利便性がある。
【図面の簡単な説明】
【００１７】
【図１】枕カバーの一部を破断して示す枕の斜視図
【図２】枕本体の平面図
【図３】図２のＡ−Ａ線断面図
【図４】第１パッドの斜視図
【図５】第２パッドの斜視図
【図６】枕カバーを開けて第２パッドを見せた状態の説明図
【図７】枕カバーの裏面図
【符号の説明】
【００１８】
Ｐ・・・枕
１・・・枕本体
２・・・枕袋
ｃ・・・仮想中心線
６・・・中央部
７，７・・・円弧部
８，８・・・中間部
９，９・・・波形部
１０，１０・・・端部
１１，１１・・・外側ポケット
２０・・・第１パッド
２５・・・枕カバー
２９・・・内側ポケット
３０・・・第２パッド
【図１】
2009082638.tif 000003
【図２】
2009082638.tif 000004
【図３】
2009082638.tif 000005
【図４】
2009082638.tif 000006
【図５】
2009082638.tif 000007
【図６】
2009082638.tif 000008
【図７】
2009082638.tif 000009